(57)【要約】  【課題】液晶表示装置のアレイパターンの設計精度を向上できるとともに設計時間を短縮できる液晶表示装置用パターンレイアウトの作成方法を提供する。  【解決手段】ＣＡＤシステム上に格子状の駆動波形入力フォームを描画する。駆動波形入力フォーム上に駆動波形のパターンをシンボルにてドット配置する。ドット配置したシンボルに基づいて駆動波形入力フォーム上に入力信号波形のパターンを描画する。駆動波形入力フォーム上に描画した入力信号波形のパターンから座標を抽出する。抽出した座標から回路シミュレータ用の駆動波形を記述したファイルを作成できる。ＣＡＤシステム上のレイアウト上に描画した入力信号波形のパターンから回路シミュレータ用の入力信号波形ファイルを容易に作成できる。編集が容易化で、遅延時間などの時間調整も容易化できる。描画したパターンから駆動波形記述に変換する手段を作成する。  【選択図】図１
2005267228.tif 000002
【特許請求の範囲】
【請求項１】
液晶用パターンレイアウトの入力信号パターンを描画する領域を描画し、
この描画した領域に前記入力信号パターンから抽出した座標を入力し、
この入力した座標から前記入力信号パターンを前記領域に作成し、
この領域に作成した前記入力信号パターンを液晶用回路シミュレータで用いることのできる信号波形データに変換し、
この変換した前記信号波形データを保存する
ことを特徴とする液晶表示装置用パターンレイアウトの作成方法。
【請求項２】
入力信号パターンを描画する領域は、この入力信号パターンから抽出した座標の入力時に時間と電位との変位を管理できる格子状の入力フォームである
ことを特徴とする請求項１記載の液晶表示装置用パターンレイアウトの作成方法。
【請求項３】
液晶用パターンレイアウトの入力信号パターンから所定の記号にて構成された入力信号ファイルを作成し、
この入力信号ファイルから前記入力信号パターンを描画する
ことを特徴とする液晶表示装置用パターンレイアウトの作成方法。
【請求項４】
所定の記号は、テキスト形式である
ことを特徴とした請求項３記載の液晶表示装置用パターンレイアウトの作成方法。
【請求項５】
液晶用パターンレイアウトの入力信号パターンから、少なくとも２つ以上の高さの異なるテキストデータで入力信号ファイルを作成し、
この入力信号ファイルのテキストデータの途切れている部分をそれぞれ結んで前記入力信号パターンとする
ことを特徴とする液晶表示装置用パターンレイアウトの作成方法。
【請求項６】
入力信号ファイルから描画した入力信号パターンを、液晶用回路シミュレータで用いることのできる信号波形データに変換し、
この変換した前記信号波形データを保存する
ことを特徴とする請求項３ないし５いずれか記載の液晶表示装置用パターンレイアウトの作成方法。
【請求項７】
液晶用回路シミュレータを利用しながら液晶用パターンレイアウトを設計した結果を、所定の記号によって作成された形式のファイルに変換する
ことを特徴とする請求項３ないし５いずれか記載の液晶表示装置用パターンレイアウトの作成方法。
【請求項８】
液晶用パターンレイアウトの入力信号パターンを描画する領域を描画する領域描画手段と、
この領域描画手段にて描画した領域に前記入力信号パターンから抽出した座標を入力させる入力手段と、
この入力手段にて入力された画像から前記入力信号パターンを前記領域に作成するパターン作成手段と、
このパターン作成手段にて作成された前記入力信号パターンを液晶用回路シミュレータで用いることのできる信号波形データに変換する変換手段と、
この変換手段にて変換された前記信号波形データを保存する保存手段と
を具備したことを特徴とした液晶表示装置用パターンレイアウトの作成装置。
【請求項９】
領域描画手段は、入力信号パターンを描画する領域として、前記入力信号パターンから抽出した座標の入力時に時間と電位との変位を管理できる格子状の入力フォームを描画する
ことを特徴とした請求項８記載の液晶表示装置用パターンレイアウトの作成装置。
【請求項１０】
液晶用パターンレイアウトの入力信号パターンから所定の記号にて構成された入力信号ファイルを作成するファイル作成手段と、
このファイル作成手段にて作成された前記入力信号ファイルから前記入力信号パターンを描画するパターン描画手段と
を具備したことを特徴とした液晶表示装置用パターンレイアウトの作成装置。
【請求項１１】
所定の記号は、テキスト形式である
ことを特徴とした請求項１０記載の液晶表示装置用パターンレイアウトの作成装置。
【請求項１２】
液晶用パターンレイアウトの入力信号パターンから、少なくとも２つ以上の高さの異なるテキストデータで入力信号ファイルを作成するファイル作成手段と、
この入力信号ファイルのテキストデータの途切れている部分をそれぞれ結んで前記入力信号パターンとするパターン描画手段と
を具備したことを特徴とする液晶表示装置用パターンレイアウトの作成装置。
【請求項１３】
パターン描画手段にて描画された入力信号パターンを、液晶用回路シミュレータで用いることのできる信号波形データに変換する変換手段と、
この変換手段にて変換された前記信号波形データを保存する保存手段と
を具備したことを特徴とした請求項１０ないし１２いずれか記載の液晶表示装置用パターンレイアウトの作成装置。
【請求項１４】
変換手段は、液晶用回路シミュレータを利用しながら液晶用パターンレイアウトを設計した結果を、所定の記号によって作成された形式のファイルに変換する
ことを特徴とした請求項１０ないし１３いずれか記載の液晶表示装置用パターンレイアウトの作成装置。
【請求項１５】
液晶用パターンレイアウトの入力信号パターンを描画する領域を描画するステップと、
この描画した領域に前記入力信号パターンから抽出した座標を入力するステップと、
この入力した座標から前記入力信号パターンを前記領域に作成するステップと、
この領域に作成した前記入力信号パターンを液晶用回路シミュレータで用いることのできる信号波形データに変換するステップと、
この変化された前記信号波形データを保存するステップと
を具備したことを特徴とした液晶表示装置用パターンレイアウトの作成プログラム。
【請求項１６】
入力信号パターンを描画する領域は、この入力信号パターンから抽出した座標の入力時に時間と電位との変位を管理できる格子状の入力フォームである
ことを特徴とした請求項１５記載の液晶表示装置用パターンレイアウトの作成プログラム。
【請求項１７】
液晶用パターンレイアウトの入力信号パターンから所定の記号にて構成された入力信号ファイルを作成するステップと、
この入力信号ファイルから前記入力信号パターンを描画するステップと
を具備したことを特徴とした液晶表示装置用パターンレイアウトの作成プログラム。
【請求項１８】
所定の記号は、テキスト形式である
ことを特徴とした請求項１７記載の液晶表示装置用パターンレイアウトの作成プログラム。
【請求項１９】
液晶用パターンレイアウトの入力信号パターンから、少なくとも２つ以上の高さの異なるテキストデータで入力信号ファイルを作成するステップと、
この入力信号ファイルのテキストデータの途切れている部分をそれぞれ結んで前記入力信号パターンとするステップと
を具備したことを特徴とする液晶表示装置用パターンレイアウトの作成プログラム。
【請求項２０】
入力信号ファイルから描画した入力信号パターンを、液晶用回路シミュレータで用いることのできる信号波形データに変換するステップと、
この変換された前記信号波形データを保存するステップと
を具備したことを特徴とした請求項１７ないし１９いずれか記載の液晶表示装置用パターンレイアウトの作成プログラム。
【請求項２１】
回路シミュレータを利用しながら液晶用パターンレイアウトを設計した結果を、所定の記号によって作成された形式のファイルに変換するステップを具備した
ことを特徴とした請求項１７ないし２０いずれか記載の液晶表示装置用パターンレイアウトの作成プログラム。
【請求項２２】
請求項１５ないし２１いずれか記載の液晶表示装置用パターンレイアウトの作成プログラムが、コンピュータに読み取り可能に記録された
ことを特徴とした液晶表示装置用パターンレイアウトの作成プログラムを記録した媒体。
【発明の詳細な説明】
【技術分野】
【０００１】
本発明は、液晶用回路シミュレータを用いた液晶表示装置用パターンレイアウトの作成方法、その装置、そのプログラム、およびこのプログラムを記録した媒体に関する。
【背景技術】
【０００２】
近年、テレビジョン表示やグラフィックスディスプレイなどを指向した大型で高密度の液晶表示装置が開発されている。
【０００３】
一般的に、液晶表示装置のアレイ基板パターンを設計するためには、回路シミュレータを利用して、予めアレイ基板パターン上の電位をシミュレーションしながら、アレイ基板パターンを設計している。また、このように、アレイ基板パターンの電位をシミュレーションするには、たとえばネットリストといわれるファイルを回路シミュレータに入力する。なお、ネットリストは、アレイ基板パターンに対応した等価回路と、アレイ基板パターンの駆動波形とを記述したコンピュータ上のファイルである。
【０００４】
ところが、ネットリストの中で駆動波形は、図１８に示すように、難解で理解しにくく、間違えやすい。そのため回路シミュレーションするための準備としてネットリストを作成するには長い時間を必要で、さらに正しいシミュレーション結果を得るために、試行錯誤を繰り返してしまう。
【０００５】
そこで、たとえば駆動波形を、横軸を時間、縦軸を電位として表示する専用のソフトウェアがある。このようなソフトウェアでは、難解な駆動波形の記述を覚える必要がなく、視角的に理解しやすい。
【０００６】
しかし、このようなソフトウェアを利用するには、ソフトウェアの操作方法を新たに覚えなくてはならず、アレイ基板パターンを設計するレイアウトＣＡＤソフトと同時に利用すると操作方法が異なるため操作が煩雑になり、誤操作を生ずるおそれがある。
【０００７】
さらに、プレゼンテーション用の資料にアレイ基板パターンの波形データを貼付するためには、回路シミュレータの結果を取得して資料に添付する必要がある。そして、この回路シミュレータの結果を取得して資料に添付した場合には、この回路シミュレータの結果に、たとえばメニューバーやアイコン、枠線などといった不必要な部分まで貼付されてしまうので、いったん編集してから貼付する必要がある。
【０００８】
なお、上述のような液晶表示装置のアレイ基板上のアレイ基板パターンを設計するには、レイア概念を持った二次元平面図を描画できるＣＡＤシステムが一般に用いられている。このような二次元平面を描画するためにＣＡＤシステムは、データベース上に原点とＸＹ軸を設定し、指定されたレイアによってパターンが描画できる。また、レイアとは、ＣＡＤシステム上に描画されたパターンを表現する要素の一つで、アレイ基板の製造に用いるマスクである。そして、ＣＡＤシステム上に描画されたパターン、すなわちデータベース上のパターンの表現方法は、少なくともレイアと頂点座標リストによって表される。
【０００９】
上述のように、回路シミュレータを用いたアレイ基板パターンの設計作業では、回路シミュレータ用の駆動波形の記述が難解であるため、記述するために多くの時間がかかる上に、記述を誤るおそれがある。
【００１０】
そこで、これらの問題を解決するための液晶表示装置用パターンレイアウト方法として、レイアウトパターン装置上に駆動波形データをラインで描いた構成が知られている(例えば、特許文献１参照。)。
【特許文献１】特開２００３−３１６８５０号公報（第３−４頁、図１−図６）
【発明の開示】
【発明が解決しようとする課題】
【００１１】
しかしながら、上述した液晶表示装置用パターンレイアウトの作成方法の場合には、パターンの追加や削除といった波形の修正作業が容易ではないとともに、時間軸と電位軸との単位変位量が駆動波形データ上に明示されないので、遅延時間を含む駆動波形の作成が容易ではない。よって、アレイ基板パターンの設計精度の向上が容易ではないとともに、設計時間の短縮が容易ではない。
【００１２】
さらに、プレゼンテーション用の資料にアレイ基板パターンの波形データを貼付しようとした場合には、シミュレーション結果から取得したデータを貼付したり、波形パターン作成用のプログラムソフトで作成したりする必要がある。そして、シミュレーション結果から取得したデータを貼付する場合には、プレゼンテーション用の資料として不要な情報が多く含まれているので、シミュレーション結果から取得したデータの加工が必要となる。この結果、このデータの加工が容易ではないから、アレイ基板パターンの設計精度の向上が容易ではないとともに、設計時間の短縮が容易ではないという問題を有している。
【００１３】
本発明は、このような点に鑑みなされたもので、設計精度を向上でき設計時間を短縮できる液晶表示装置用パターンレイアウトの作成方法、その装置、そのプログラム、およびこのプログラムを記録した媒体を提供することを目的とする。
【課題を解決するための手段】
【００１４】
本発明は、液晶用パターンレイアウトの入力信号パターンを描画する領域を描画し、この描画した領域に前記入力信号パターンから抽出した座標を入力し、この入力した座標から前記入力信号パターンを前記領域に作成し、この領域に作成した前記入力信号パターンを液晶用回路シミュレータで用いることのできる信号波形データに変換し、この変換した前記信号波形データを保存するものである。
【００１５】
そして、液晶用パターンレイアウトの入力信号パターンを描画する領域を描画してから、この領域に入力信号パターンから抽出した座標を入力する。この後、この入力した座標から入力信号パターンを領域に作成し、この領域に作成した入力信号パターンを液晶用回路シミュレータで用いることのできる信号波形データに変換した後、この変換した信号波形データを保存する。この結果、入力信号パターンを描画する領域に入力した座標を修正するだけで、この領域に作成される入力信号パターンを修正できるから、この領域に描画した入力信号パターンから液晶用回路シミュレータで用いることのできる信号波形データを容易に作成できる。したがって、液晶用パターンレイアウトの設計精度を向上できるとともに、この液晶用パターンレイアウトの設計時間を短縮できる。
【００１６】
また、本発明は、液晶用パターンレイアウトの入力信号パターンから所定の記号にて構成された入力信号ファイルを作成し、この入力信号ファイルから前記入力信号パターンを描画するものである。
【００１７】
そして、液晶用パターンレイアウトの入力信号パターンから所定の記号にて構成された入力信号ファイルを作成し、この入力信号ファイルから入力信号パターンを描画した。この結果、入力信号ファイルを所定の記号で構成させたので、この入力信号ファイルの修正が容易になるから、この入力信号ファイルから描画される入力信号パターンの修正を容易にできる。
【発明の効果】
【００１８】
本発明によれば、入力信号パターンを描画する領域に入力した座標を修正するだけで、この領域に作成される入力信号パターンを修正できるから、この領域に描画した入力信号パターンから液晶用回路シミュレータで用いることのできる信号波形データを容易に作成できるので、液晶用パターンレイアウトの設計精度を向上でき、この液晶用パターンレイアウトの設計時間を短縮できる。
【００１９】
また、液晶パターンレイアウトの入力信号パターンから作成された入力信号ファイルを所定の記号で構成させたので、この入力信号ファイルの修正を容易にできるので、この入力信号ファイルから描画される入力信号パターンの修正を容易にできる。
【発明を実施するための最良の形態】
【００２０】
以下、本発明の第１の実施の形態の液晶表示装置用パターンレイアウトの作成装置を図１ないし図６を参照して説明する。
【００２１】
まず、液晶用回路シミュレータを利用しながら液晶用パターンレイアウトである液晶表示装置のアレイ基板パターンのレイアウトを設計し、この設計された液晶用パターンレイアウトに基づき電気信号である入力信号波形のパターンをシミュレーションする液晶表示装置用パターンレイアウトの作成装置である。そして、この作成装置は、コンピュータを用いて液晶表示装置のアレイパターンを設計するレイアウトＣＡＤシステムに用いられるパターンレイアウトの入力支援作成装置としてのデータ作成レイアウト装置である。また、この作成装置は、作成したパターンレイアウトの編集が容易な編集装置でもある。すなわち、この作成装置は、レイアウトＣＡＤ上に表示させた入力波形データを回路シミュレータで用いることのできる形式のデータに合わせ込んで変換した後に保存する。
【００２２】
次に、この作成装置の基本的な動作としては、図１に示すように、領域描画手段としてＣＡＤのレイアウト画面上にグリッド状である格子状のパターンを描画させる(ステップ１)。ここで、この格子状の入力パターンは、液晶表示装置のアレイ基板パターンのレイアウトに用いることのできる入力信号パターンを描画する領域である。また、この格子状のパターンは、液晶表示装置用パターンレイアウトの作成装置上に描画した回路シミュレータで用いる入力信号波形を模したパターンである入力信号波形のパターンから抽出した座標を入力する時に、横軸であるＸ軸(時間軸)および縦軸であるＹ軸(電位軸)のディビジョン、すなわち時間および電位の変位を管理できる駆動波形入力フォームである。
【００２３】
この後、この格子状のパターン上に、パターン描画手段として駆動波形である入力信号波形のパターンを描画する格子図におけるＸ軸およびＹ軸の単位長さである１ディビジョン当たりの量、およびそれぞれの入力信号波形に対応するレイアを指定し(ステップ２)、レイアウト上に所望の入力信号波形をシンボルにてドット配置する(ステップ３)。このとき、このレイアウト上に配置されるドットは、入力信号パターンから抽出した座標、すなわちこの入力信号パターンの各頂点に対応した座標である。また、これらドットは、入力手段としての図示しないキーボードなどを用いて入力される。
【００２４】
さらに、複数の入力信号波形のパターンを描画する場合は、図示しないパターン作成手段としてのパターン描画手段にてレイアおよびシンボルを変えてレイアウト上にシンボルにてドット配置する(ステップ３)。この後、この配置されたシンボルパターン間をラインで大まかな配線描画して接続して、実際の入力信号波形のパターンに模した、すなわち近似した理想的な入力信号波形のパターンを描画する(ステップ４)。
【００２５】
この状態で、この入力信号波形のパターンを実際の入力信号波形のパターンと比べて目視で確認し(ステップ５)、この後、この目視確認により入力信号パターンの修正が必要のない場合には(ステップ６)、描画された入力信号波形パターンの座標をレイアウト上から抽出する(ステップ７)。このとき、目視確認により入力信号パターンの修正が必要な場合には、ステップ３からステップ５を繰り返す。
【００２６】
そして、ステップ７によって変換手段にて抽出した座標から時間と電位とに変換する(ステップ８)。このとき、このステップ８では、格子上のパターン上に描画した入力信号波形のパターンを液晶用回路シミュレータで用いることのできる信号波形の形式でに変換している。この後、ステップ８にて変化された変換入力信号波形の電気信号である信号波形データを記憶手段である記憶装置としてのハードディスク上のファイルに保存手段によって保存して回路シミュレータ用のファイルを作成する(ステップ９)。
【００２７】
したがって、液晶表示装置用パターンレイアウトの作成装置上に描画した回路シミュレータで用いる入力信号波形を模したパターンから、この回路シミュレータで用いることのできる入力信号波形の形式に変換し、この変換した形式の入力信号波形の電気信号である信号波形データを記憶装置に保存できる。
【００２８】
ここで、ステップ２の具体的な動作について、図２および図３を参照して説明する。
【００２９】
図３に示すように、入力信号波形をレイアウト上にシンボルにてドット単位で配置した場合、Ｘ軸は時間を示し、Ｙ軸は電位を示している。入力信号波形をＣＡＤ上のレイアウト上に描画した場合、レイアウト上の入力信号波形パターンと実際の入力信号波形との間で関連付けが必要である。すなわちレイアウト上は、Ｘ軸は長さの単位であるが、１長さ単位である１ディビジョンを時間Ｔ１［Ｓ］に置きかえる割合を指定する(ステップ11)。
【００３０】
また、Ｙ軸も同様に長さの単位であるが、１長さ単位を電位Ｖ１［Ｖ］に置きかえる割合を指定する（ステップ12）。さらに、必要な信号波形の数Ｎを入力する(ステップ13)。このステップ13で入力したＮ個の入力信号波形パターンをレイアウト上に描画するためのレイアを入力する(ステップ14)。そして、ステップ11ないしステップ14で入力した内容を仮想記憶領域上の入力一時記憶Ａに保存する(ステップ15)。
【００３１】
次に、ステップ２に進みレイアウト上に所望の入力信号波形をステップ13で指定したレイアで図３に示すように描画する。なお、複数の入力信号波形を描画する場合は、ステップ４に進みレイアおよびシンボルを変えて図４に示すようにレイアウト上にシンボルに配置しラインでシンボル間を配線描画する。そして、ステップ７に進み描画された入力信号波形パターンの座標をＣＡＤのレイアウト上から抽出する。
【００３２】
ここで、このステップ７の具体的な動作について、図５を参照して説明する。
【００３３】
まず、ステップ15で保存した入力一時記憶Ａから、入力信号波形数Ｎを読み出し、Ｎ個の座標読み出し用の配列
Ｍ１ｘ［  ］，Ｍ２ｘ［  ］，…，ＭＮｘ［  ］
Ｍ１ｙ［  ］，Ｍ２ｙ［  ］，…，ＭＮｙ［  ］
をＸ軸用、Ｙ軸用にコンピュータ上の仮想記憶領域にそれぞれ用意する(ステップ21)。そして、変数Ｉを１とし(ステップ22)、Ｉ番目の入力信号波形パターンのレイア名Ｌを入力一時記憶Ａから読み込む(ステップ23)。また、このＬレイアで描画されたパターンを入力信号波形パターンから抽出し、左下の頂点を１番目として順番に、Ｘ座標を配列ＭＩｘ［  ］に、Ｙ座標を配列ＭＩｙ［  ］に保存する(ステップ24)。そして、変数ＩがＮより大きいか否かを判断し(ステップ25)、変数ＩがＮより大きくない場合には変数Ｉ＝Ｉ＋１とし(ステップ26)、ステップ23に戻り、ステップ23およびステップ24を繰り返して実行し、ステップ25で変数ＩがＮより大きくなると抽出した座標配列を入力一時記憶Ｂに保存する(ステップ27)。この後、ステップ７にて抽出した座標からステップ８で時間と電位とに変換する。
【００３４】
そして、このステップ８の具体的な動作を図６を参照して説明する。
【００３５】
このステップ８では、図６に示すように、入力信号波形数Ｎと座方読込配列群Ｍを入力一時記憶Ｂから読み込む(ステップ31)。次に、変数Ｉに１を代入し(ステップ32)、回路シミュレータでの入力信号波形の識別型である“ＰＷＬ（”を入力一時記憶Ｃに保存する(ステップ33)。そして、配列ＭＩｘ［  ］に保存したデータ数Ｔを求める(ステップ34)。さらに、変数Ｊに１を代入し(ステップ35)、ＭＩｘ［Ｊ］／Ｔ１の値を入力一時記憶Ｃに保存し(ステップ36)、ＭＩｙ［Ｊ］／Ｖ１の値を入力一時記憶Ｃに保存する(ステップ37)。そして、ＪがＴより大きいか否かを判断し(ステップ38)、変数ＪがＴより大きくない場合には変数Ｊ＝Ｊ＋１とし(ステップ39)、ステップ36に戻り、ステップ36およびステップ37を繰り返し、ステップ38で変数ＪがＴより大きくなると“）”と改行コードを入力一時記憶Ｃに保存する(ステップ40)。さらに、変数ＩがＮより大きいか否かを判断し(ステップ41)、変数ＩがＮより大きくない場合には変数Ｉ＝Ｉ＋１とし(ステップ42)、ステップ33に戻り、ステップ33ないしステップ40を繰り返し、ステップ41で変数ＩがＮより大きい場合には、ステップ31ないしステップ42で求めた入力一時記憶Ｃを保存する(ステップ43)。
【００３６】
そして、ステップ43で保存した変換された入力信号波形を記憶手段であるハードディスク上のファイルに保存して回路シミュレータ用のファイルを作成する(ステップ９)。
【００３７】
上述したように、上記第１の実施の形態によれば、液晶表示装置のアレイパターン設計作業を行なうＣＡＤシステム上に格子状の駆動波形入力フォームを描画し、この駆動波形入力フォーム上に駆動波形のパターンをシンボルにてドット配置してから、このドット配置に基づいて入力信号波形のパターンを描画する。この後、この描画した入力信号波形のパターンである回路シミュレータ用の駆動波形に模したパターンから座標を抽出し、この抽出した座標から回路シミュレータ用の駆動波形を記述したファイルを作成できる。
【００３８】
このため、格子状の駆動波形入力フォーム上にドット配置されたシンボルを修正して移動させることにより、このシンボルの移動に伴って駆動波形入力フォーム上に描画された入力信号波形のパターンが自動的に修正される。したがって、この駆動波形入力フォーム上に描画された入力信号波形のパターンに直接手を加えて、この入力信号波形パターンを修正する場合に比べ、シンボルの移動のみで入力信号波形パターンを修正できる。よって、ＣＡＤ上のレイアウト上に描画した入力信号波形のパターンから回路シミュレータ用の入力信号波形ファイルを容易に作成できる。
【００３９】
この結果、編集が容易化で、遅延時間などの時間調整も容易化し、描画したパターンから駆動波形記述に変換する手段を作成することにより、従来例の手法に比べ、液晶表示装置のアレイパターン設計作業における設計精度を向上できるとともに、設計期間を大幅に短縮できる。このため、設計効率の向上を図ることができ、設計ミスの低減を達成できるから、従来例の手法より短期間に高精度の液晶表示装置を得ることができる。
【００４０】
すなわち、従来例の方法では、紙面上などに書き起こした波形から手作業で回路シミュレータ用の入力信号波形ファイルを手作業で作成するため約１時間かかっていたものが、上記第１の実施の形態では作業が５分になり、１／１２に短縮され、アレイ基板パターンに対応させることにより設計精度が向上するとともに、さらにミスの低減と容易に修正できる設計環境を新しいソフトの操作方法を覚える必要なく実現できた。
【００４１】
なお、図７ないし図１７に示す第２の実施の形態のように、液晶用パターンレイアウトの入力信号波形のパターンから、英数字および記号などの所定の記号であるテキスト形式に記述されて作成された入力信号ファイルとしてのテキストデータを作成する液晶表示装置用パターンレイアウトの作成装置とすることもできる。この場合、この作成したテキストデータから、液晶用パターンレイアウトに用いることのできる入力信号波形の形式のパターンをパターンレイアウトの作成装置上に生成して描画し、この描画した入力信号波形のパターンの電気信号である信号波形データを保存手段にて記憶装置に保存させることもできる。なお、このパターンレイアウトの作成装置は、回路シミュレータを利用しながらアレイパターンレイアウトの設計作業をするためのパターンレイアウトの入力信号波形の作成装置である。
【００４２】
この場合、図７および図８に示すように、まず回路シミュレーションする場合の入力データとして、図示しないファイル作成手段によってテキストエディタ上に英数字および記号を用いて入力信号を記述し、図９に示すように、テキスト形式の入力信号ファイルを作成する(ステップ51)。このとき、少なくとも２つ以上の互いの高さの異なるテキストデータを入力信号として記述して入力信号ファイルを作成する。具体的には、Ｈレベルを−(ハイフン)とし、Ｌレベルを＿(アンダースコア)として三つの入力信号を記述する。
【００４３】
この後、このステップ51で作成した入力信号ファイルの各行の内容を変換手段にてＨ／Ｌの図形データに変換し(ステップ52)、図１０に示すように、液晶表示装置用パターンレイアウトの作成装置のディスプレイ上に図示しないパターン描画手段にて入力信号波形のパターンを描画して表示する(ステップ53)。このとき、入力信号ファイルのテキストデータの途切れている部分のそれぞれを結んで入力信号パターンとする。具体的に、この入力信号パターンは、ハイフンとアンダースコアとにて構成された入力信号ファイル中の途切れているハイフンとアンダースコアとの間を実線で結んで入力信号波形のパターンを形成する。ここで、変換手段にて変換されて描画された入力信号ファイルは、アレイパターンレイアウトに用いることのできる入力信号波形の形式の入力信号パターンに模した画像を生成させる。
【００４４】
次いで、このステップ53にてディスプレイ上に表示したＨ／Ｌの図名データの入力波形を目視確認する(ステップ54)。この後、この目視確認により修正の必要がなければ(ステップ55)、図８および図１０に示すように、図形化された図形ファイルである入力信号ファイルを、プレゼンテーション用の資料を作成する時に使用するソフトウェアに簡単に挿入できるフォーマットの画像データとして保存する(ステップ56)。このとき、修正の必要がある場合には、ステップ55からステップ51へと進みステップ51ないしステップ54を適宜繰り返す。
【００４５】
この後、回路シミュレーション用の入力波形信号データを必要とする場合には、スティミュラス(Stimulus)作成する(ステップ57)。そして、このスティミュラス作成ができる場合には、図１１に示すように、回路シミュレータとしてのアナログシミュレータおよび論理シミュレータに合わせた記述形式ファイルの各フォーマットに合わせてステップ51で作成したファイルを変換手段にて変換する(ステップ58)。このとき、変換手段によるファイルの変換によって、このファイルが回路シミュレータで用いることのできる入力信号波形の形式のファイルに変換される。なお、この図１１に示す記述形式は、Verilog−ＨＤＬ(Hardware Description Language)形式のフォーマットに変換した場合のシミュレーション入力記述形式である。
【００４６】
次いで、この変換手段にて変換したファイルを、各シミュレータに合わせた記述形式ファイルをディスプレイ上に表示するとともに(ステップ59)、この変換手段にて変換した形式の信号波形である記述形式のファイルの電気信号を保存手段にて記憶装置に保存する(ステップ60)。この結果、回路シミュレータに変換された入力波形記述と回路図のネットリストを入力することによって、図１２に示すように、液晶表示装置のアレイパターンのシミュレーションを実行できる。
【００４７】
この後、このシミュレーション結果からプレゼンテーション資料用に入出力信号波形データを作成する場合には、図１３に示すように、シミュレーション結果を記憶装置から読み出す(ステップ61)。次いで、この読み出したシミュレーション結果を、図１４に示す回路を用いて各シグナルをアンド演算するとともに、図１５に示すように、英数字あるいは記号などの所定の記号のテキスト記述であるテキスト形式の信号波形情報としての入出力信号ファイルに変換手段が変換する(ステップ62)。すなわち、この変換手段は、回路シミュレータを利用しながらアレイパターンレイアウトを設計した結果である回路シミュレーションを、英数字および記号などである所定の記号によって作成されたテキスト形式の入出力信号ファイルに変換する。
【００４８】
そして、この変換したテキスト形式の信号波形情報をテキスト形式信号波形ファイルとして保存する(ステップ63)。この後、このテキスト記述に変換された入出力信号ファイルの各行を、図１６に示すように、読み取りＨ／Ｌの画像データとして入出力波形の図形情報である画像情報に変換する(ステップ64)。次いで、この変換した画像情報をパターンレイアウトの作成装置であるＣＡＤ上のディスプレイ上に表示する(ステップ65)。
【００４９】
この後、このディスプレイ上に表示された画像情報を目視確認し(ステップ66)てから保存する(ステップ67)。この後、この保存した画像情報である図形化された入力信号ファイルを、図１７に示すように、プレゼンテーション用の資料作成時に使用するソフトウェアに簡単に挿入できるシミュレーション結果であるフォーマットの画像データとして保存する(ステップ68)。
【００５０】
上述したように、上記第２の実施の形態によれば、英数字あるいは記号などの所定の記号のテキストで記述された入力信号ファイルを作成し、この作成した入力信号ファイルから回路シミュレータ用の入力信号波形に模したパターン画像データの生成、およびこの回路シミュレータ用の入力信号波形データを記述したファイルを作成できるとともに、シミュレーション結果から英数字あるいは記号などの所定の記号のテキストで記述された入出力信号ファイルを作成でき、入出力信号波形に模したパターン画像データを生成できる。
【００５１】
したがって、英数字あるいは記号などの所定の記号のテキストで記述された入力信号ファイルから入力信号波形のパターンを生成することによって、アレイパターンレイアウトの編集を容易化できる。また、テキストで記述された入力信号ファイルからシミュレーション用の入力信号波形記述に変換する手段を作成することによって、入力信号ファイルの作成作業を簡略化でき、設計精度の向上、設計期間の短縮、およびミスの低減を達成できると同時に、プレゼンテーション用の資料作成の効率化を達成できる。よって、従来例に比べ、設計期間の短縮と設計ミスの低減を図ることができるので、従来手法よりも短期間に高精度な液晶表示装置を得ることができる。
【００５２】
なお、上記各実施の形態の動作をコンピュータ読み取り可能なパターンレイアウトの作成プログラムとしたり、このパターンレイアウトの作成プログラムを記録した光ディスクあるいは磁気ディスクその他の媒体に格納し、この媒体を動作させることに用いたりしてもよい。
【図面の簡単な説明】
【００５３】
【図１】本発明の第１の実施の形態の液晶表示装置用パターンレイアウトの作成装置の動作を示すフローチャートである。
【図２】同上ステップ２の動作を示すフローチャートである。
【図３】同上ステップ２での出力結果を示す説明図である。
【図４】同上ステップ２でレイアおよびシンボルを変えた出力結果を示す説明図である。
【図５】同上ステップ７の動作を示すフローチャートである。
【図６】同上ステップ８の動作を示すフローチャートである。
【図７】本発明の第２の実施の形態の液晶表示装置用パターンレイアウトの作成装置の動作を示すフローチャートである。
【図８】同上液晶表示装置用パターンレイアウトの作成装置を用いて回路シミュレーションする時の入力ファイルの流れを示す説明図である。
【図９】同上液晶表示装置用パターンレイアウトの作成装置にて作成される入力信号ファイルのデータを示す説明図である。
【図１０】同上入力信号ファイルの各行のＨ／Ｌデータを図形に変換した図形データを示す説明図である。
【図１１】同上入力信号ファイルを回路シミュレーション入力形式に変換したデータを示す説明図である。
【図１２】同上液晶表示装置用パターンレイアウトの作成装置を用いて回路シミュレーションする時の生成ファイルの流れを示す説明図である。
【図１３】同上液晶表示装置用パターンレイアウトの作成装置によるシミュレーション結果から図形情報ファイル作成までの動作を示すフローチャートである。
【図１４】同上液晶表示装置用パターンレイアウトの作成装置に用いる回路を示す説明図である。
【図１５】同上液晶表示装置用パターンレイアウトの作成装置にてテキスト形式に変換した入力信号ファイルのデータを示す説明図である。
【図１６】同上入力信号ファイルの各行のＨ／Ｌデータを図形に変換した図形データを示す説明図である。
【図１７】同上液晶表示装置用パターンレイアウトの作成装置によるシミュレーション結果のデータを示す説明図である。
【図１８】従来例の液晶表示装置用パターンレイアウトの作成装置による出力結果を示す説明図である。
【図１】
2005267228.tif 000003
【図２】
2005267228.tif 000004
【図３】
2005267228.tif 000005
【図４】
2005267228.tif 000006
【図５】
2005267228.tif 000007
【図６】
2005267228.tif 000008
【図７】
2005267228.tif 000009
【図８】
2005267228.tif 000010
【図９】
2005267228.tif 000011
【図１０】
2005267228.tif 000012
【図１１】
2005267228.tif 000013
【図１２】
2005267228.tif 000014
【図１３】
2005267228.tif 000015
【図１４】
2005267228.tif 000016
【図１５】
2005267228.tif 000017
【図１６】
2005267228.tif 000018
【図１７】
2005267228.tif 000019
【図１８】
2005267228.tif 000020